【手続補正書】
【提出日】平成20年7月11日(2008.7.11)
【手続補正１】
【補正対象書類名】明細書
【補正対象項目名】特許請求の範囲
【補正方法】変更
【補正の内容】
【特許請求の範囲】
【請求項１】  複数の医療デバイスと、
音声の入力デバイスと、
ディスプレイ・デバイスと、
前記医療デバイスと、前記音声の入力デバイスと、前記ディスプレイ・デバイスに結合されたコントローラと、
から構成され、
前記コントローラは、患者記録情報を含んだ音声データ検索コマンドを前記音声の入力デバイスから受信し、前記データ検索コマンドの受信に応答して、前記コントローラは前記患者記録情報に関連した患者情報を取り出すため、サーバにコマンドを送信し、前記コントローラは前記サーバから取り出した患者情報を受信し、前記コントローラは前記取り出した患者情報をディスプレイ上に表示するために出力し、
前記コントローラは前記音声の入力デバイスからデバイスを特定する音声デバイスコマンドを受信し、前記デバイスコマンドの受信に応答して、前記コントローラは前記デバイスの特定によって識別された前記医療デバイスの中から選択された１つに制御コマンドを送信し、前記制御コマンドの受信に応答して、前記選択された医療デバイスは患者に処置を施したり、前記医療処置が行われている室内環境を変更したりすることを特徴とする患者に対する医療処置中に使用する制御システム。
【請求項２】  アプリケーション・プログラムを含んだメモリと、
プロセッサと、
から構成され、前記プロセッサは前記アプリケーション・プログラムを実行してウェブ・ブラウズ可能なフォーマットでディスプレイ・デバイス上に前記患者情報を表示することを特徴とする請求項１に記載の制御システム。
【請求項３】  前記コントローラは、医療処置中に新しい患者のデータをキャプチャし、
前記コントローラは、前記新しい患者のデータを医療処置が行われている室外に配置されたサーバへ送信することを特徴とする請求項１に記載の制御システム。
【請求項４】  前記新しい患者のデータは、前記音声の入力デバイスを介してキャプチャされた処置に関する音声ノートを有することを特徴とする請求項３に記載の制御システム。
【請求項５】  言葉により医療デバイスを制御し、医療処置中に患者情報を取り出すための単一システムによる方法であって、前記方法は、
患者記録情報を含む音声データ検索コマンドを受信するステップと、
前記データ検索コマンド受信に応答して、前記患者記録情報に関連する患者情報を取り出すためのコマンドを送信するステップと、
前記取り出した患者情報を受信するステップと、
前記取り出した患者情報を表示するために出力するステップと、
デバイスの特定を含む音声デバイスコマンドを受信するステップと、
前記デバイス・コマンドに応答して、前記デバイスの特定によって識別された医療デバイスに制御コマンドを送信するステップと、
前記制御コマンドに応答して、患者に処置を施すステップ、または医療処置が施されている室内環境を変更するステップと、
から構成されることを特徴とする方法。
【請求項６】  前記医療処置中に新しい患者のデータをキャプチャするステップと、
前記医療処置が施されている室外に配置されたサーバに新しい患者のデータを送信するステップと、
をさらに有することを特徴とする請求項５に記載の方法。
【請求項７】  複数の医療デバイスと、
音声の入力デバイスと、
ディスプレイ・デバイスと、
スレーブ・コントローラと、
前記医療デバイスと、前記音声の入力デバイスと、前記ディスプレイ・デバイスと、前記スレーブ・コントローラに結合されたマスタ・コントローラと、
から構成され、前記マスタ・コントローラは、患者記録情報を含む音声データ検索コマンドを前記音声の入力デバイスから受信し、前記データ検索コマンドの受信に応答して、前記マスタ・コントローラは受信したデータ検索コマンドを復号化せずに前記スレーブ・コントローラに送信し、復号化されていない前記データ検索コマンドの受信に応答して、前記スレーブ・コントローラは、前記データ検索コマンドを復号化し、前記患者記録情報に関連した患者情報を取り出すため、サーバにコマンドを送信し、前記スレーブ・コントローラは前記サーバから取り出された患者情報を受信し、前記スレーブ・コントローラは、前記ディスプレイ・デバイス上に表示するために前記取り出された患者情報を出力し、
前記コントローラは、デバイスの特定を含む音声デバイスコマンドを受信し、前記デバイスコマンドの受信に応答して、前記コントローラは、前記デバイス特定によって識別された前記医療デバイスのうちの選択された１つに制御コマンドを送信し、前記制御コマンドの受信に応答して、前記医療デバイスは患者への医療処置を行ったり、または前記治療が行われている室内環境を変更することを特徴とする患者への医療処置中に使用される制御システム。
【請求項８】  音声の入力デバイスと、
ディスプレイ・デバイスと、
スレーブ・コントローラと、
前記音声の入力デバイスと、前記ディスプレイ・デバイスと、前記スレーブ・コントローラに結合されたマスタ・コントローラと、
から構成され、前記マスタ・コントローラは、患者記録情報を含む音声データ検索コマンドを前記音声の入力デバイスから受信し、前記データ検索コマンドの受信に応答して、前記マスタ・コントローラは、前記患者記録情報に関連した患者情報を取り出すためにサーバにコマンドを送信し、前記マスタ・コントローラはディスプレイ・デバイス上に表示するために前記取り出した患者情報を出力し、
前記マスタ・コントローラは、デバイス特定およびデバイス制御部を有する音声デバイスコマンドを前記音声の入力デバイスから受信し、前記デバイスコマンドの受信に応答して、前記マスタ・コントローラは復号化されていない前記受信した制御部を、前記デバイス特定によって識別された医療デバイスに関連したスレーブ・コントローラに送信し、前記スレーブ・コントローラは前記受信した制御部を復号化し、前記識別された医療デバイスにコマンドして、患者への処置を行ったり、または前記治療が行われている室内環境を変更することを特徴とする患者に医療処置中に使用するための制御システム。
【請求項９】  音声の入力デバイスと、
ディスプレイ・デバイスと、
第１のスレーブ・コントローラと、
第２のスレーブ・コントローラと、
前記音声の入力デバイスと、前記ディスプレイ・デバイスと、前記第１と第２のスレーブ・コントローラに結合されたマスタ・コントローラと、
から構成され、
前記マスタ・コントローラは、患者記録情報を含む音声データ検索コマンドを前記音声の入力デバイスから受信し、前記データ検索コマンドの受信に応答して、前記マスタ・コントローラは、前記第１のスレーブ・コントローラに復号化せずに前記受信したデータ検索コマンドを送信し、前記復号化されていないデータ検索コマンドの受信に応答して、前記第１のスレーブ・コントローラは前記データ検索コマンドを復号化し、前記患者記録情報に関連した患者情報を取り出すためにサーバにコマンドを送信し、前記第１のスレーブ・コントローラは前記取り出された患者情報を前記サーバから受信し、前記第１のスレーブ・コントローラは前記取り出された患者情報を前記ディスプレイ・デバイス上に表示するために出力し、
前記マスタコントローラは、デバイス特定条件部およびデバイス制御部を含む音声デバイスコマンドを前記音声の入力デバイスから受信し、前記デバイスコマンドの受信に応答して、前記マスタ・コントローラは、前記デバイス特定条件部によって識別された医療デバイスに関連している前記第２スレーブ・コントローラを識別し、前記マスタ・コントローラは復号化されていない受信した制御部を前記第２のスレーブ・コントローラに送信し、前記第２スレーブ・コントローラは前記受信した制御部を復号化し、前記識別された医療デバイスにコマンドして、患者に治療を施したり、または医療処置が行われている室内環境を変更したりすることを特徴とする患者への医療処置中に使用するための制御システム。